(57)【要約】      （修正有）【課題】肌の熱気をブラジャーパッドから放熱して蒸れを防止し、通風換気及び排熱効果を達成する振動通気のブラジャーパッドを提供する。【解決手段】ブラジャーパッドは、少なくともブラジャーパッド本体１０及び微振組部品２０を含む。ブラジャーパッド本体の一端の嵌合孔１１には微振組部品を納置し、定位部により微振組部品を定位する。更に、嵌合孔は貫通した通気孔１２を連通し、通気孔は嵌合孔に相対する別端に排気道１３を連通する。排気道内には複数の排気孔１４を設置する。ブラジャーに使用する時、始動部品２４を押し、振動モーター２２をスタートして震動させ、着衣者の乳房をマッサージする。同時にファン２５を始動して回転し、気流を起こして通気孔から排気道及び排気孔へ流し、気流をブラジャーパッド全体に均一して拡散する。【選択図】図１
0003195955.tif 000002
【実用新案登録請求の範囲】
【請求項１】
振動通気のブラジャーパッドにおいて、少なくとも
一側に嵌合孔を備え、該嵌合孔は貫通した通気孔に連通し、該嵌合孔は定位部及び少なくとも一つの排気溝を備え、且つ該通気孔の該嵌合孔に相対する別端は排気道に連通し、また該排気道は本体内表面には複数の相互に通じる溝槽を凹設して形成し、及び該溝槽箇所には少なくとも一つの排気孔を穿設するブラジャーパッド本体と、
該ブラジャーパッド本体の嵌合孔内に設置し、定位部によって固定され、開口端を備えた筐体、振動モーター、電池、始動部品及びファンを備え、該振動モーターは該ファンを軸接続し、該ファンは筐体内部の開口端近くに設置し、該ファンは該通気孔に近く、該筐体はファンに相対する開口端の別側に少なくとも入風口を設置し、該始動部品は筐体の別端に設置する微振組部品を含むことを特徴とする振動通気のブラジャーパッド。
【請求項２】
前記ブラジャーパッド本体は、内表面上に少なくとも複数の凹洞を設置し、該凹洞は効用粒を設置し、該凹洞の口径は５〜８mmであり、該効用粒は５〜８mmのボール体であり、且つ該効用粒は遠赤外線粒でもよく、もしくは該効用粒はマイナスイオン粒でもよいことを特徴とする請求項１記載の振動通気のブラジャーパッド。
【請求項３】
前記排気道は、膜片を貼り、該膜片の型体は該排気道の型体に相対し、該溝槽は複数の凹部を設置し、且つ該膜片は該複数の凹部に相対する位置に複数の凸部を設置し、及び該膜片は該排気孔に相対する位置に透孔を設置し、該膜片は遠赤外線元素を布設するか、もしくは該膜片はマイナスイオン元素を布設することを特徴とする請求項１記載の振動通気のブラジャーパッド。
【請求項４】
前記ブラジャーパッド本体の内表面には複数の凸粒を設置することを特徴とする請求項３記載の振動通気のブラジャーパッド。
【考案の詳細な説明】
【技術分野】
【０００１】
本考案は、ブラジャーパッドに関するもので、特にブラジャー内に設置し，振動マッサージ機能を提供するだけでなく、更に着衣した時に通気及び放熱効果を備える。
【背景技術】
【０００２】
時代の進歩にともなって、女性たちは着るものに対して益々研究するようになり、そのためには支払いを厭わない。自分の最も美しいところを際立たせ、中でも女性の曲線の美の中でもバストラインは特に重視する。また、一般に女性は自分のバストよりも更に大きく、曲線を求める。美容整形の他では、多数の女性はブラジャーを選択し、ブラジャーで良好なバストを維持しようと考える。
【０００３】
一般の公知ブラジャー構造は、基本的に着衣者の乳房を包んで固定する作用を備えた左右のカップを設置する。左、右のカップは乳房を包む他に、左、右カップが提供する包装及び肩ストラップの吊り、更にバックベルトの締めによってブラジャーは身体の上部を保護する他に、乳房を中央に集中させ、高いラインに整える効果がある。
【０００４】
現在、ブラジャー設計のおおよそのポイントは二点ある。ひとつはカップの底部にそれぞれ一本の円弧形ワイヤーを設置し、ワイヤーで着衣者の乳房底縁を持ち上げて乳房の下垂を防止する。次にカップの底部に近い位置に予定の厚みを備えたパッドを装填し、パッドによって乳房を高く持ち上げる。主にブラジャー内に異なる比重液体の袋体を設置することによって、使用者が動いた時、二種の相互に混ざらない液体が相互にぶつかり合うか、もしくは周辺に設置したマグネットによって乳房のマッサージをして活動組織を刺激し、乳房の発育を促進し、バストアップの実用を備える。
【考案の概要】
【考案が解決しようとする課題】
【０００５】
解決しようとする問題点は、上述のブラジャーの内層に設置する袋体は、使用者の動作によって衝撃作用が発生するので、実際のところ、胸のマッサージ効果は有限であり、更に乳房を上向きに押すため、二重乳房になってしまいやすい。またワイヤー及びパッドを設置することによって、着衣者は長時間の使用で通気が悪くなり、ワイヤー周辺の局部の肌は蒸れて汗をかき湿疹が出たりする点である。
【０００６】
その他、公知は薄膜で製造したパッド袋内にスポンジもしくはシリコンジェル等の材質を充填し、パッド袋表面は設置者の皮膚との間に緊密な粘着もしくは包装形態を形成する。そのため、設置者の局部は蒸れやすく、不快に感じる点である。
【課題を解決するための手段】
【０００７】
本考案は、少なくともブラジャーパッド本体及び微振組部品を含む。そのうち、ブラジャーパッド本体の一端の嵌合孔には微振組部品を納置し、定位部によって微振組部品を定位する。更に、嵌合孔は貫通した通気孔を連通し、該通気孔は該嵌合孔に相対する別端には排気道を連通する。該排気道内には複数の排気孔を設置する。本考案をブラジャーに使用する時、始動部品を押し、振動モーターをスタートして振動させ、着衣者の乳房をマッサージする。同時にファンを始動して回転し、気流を起こして通気孔から排気道及び排気孔へ流し、気流をブラジャーパッド全体に均一して拡散することを最も主要な特徴とする。
【考案の効果】
【０００８】
本考案の振動通気のブラジャーパッドは、肌の熱気をブラジャーパッドから放熱して汚れを防止し、通風換気及び排熱効果を達成するという利点がある。
【図面の簡単な説明】
【０００９】
【図１】本考案の立体分解構造図である。
【図２】本考案の構造組立図である。
【図３】本考案の局部構造断面図である。
【図４】本考案のブラジャーパッド本体構造指示図である。
【図５】本考案の第一実施例の立体分解構造図である。
【図６】本考案の第二実施例の立体分解構造図である。
【図７】本考案の使用状態図である。
【図８】本考案の別の使用状態図である。
【図９】本考案の更に別の使用状態図である。
【考案を実施するための形態】
【００１０】
ブラジャー内に設置し，振動マッサージ機能を提供するだけでなく、更に着衣した時に通気及び放熱効果を備えるブラジャーパットを提供することを本考案の主な目的とする。
【００１１】
上述の問題を改善するため、本考案の振動通気のブラジャーパッドは、少なくともブラジャーパッド本体及び微振組部品を含む。そのうちブラジャーパッド本体の一端の嵌合孔には微振組部品を納置して嵌合し、定位部によって微振組部品を定位し、且つ嵌合孔は貫通した通気孔に連通し、該通気孔の該嵌合孔に相対する別端は排気道に連通する。また、該排気道は、ブラジャーパッド本体内表面から複数の相互に通じる溝槽を凹設して形成し、該ブラジャーパッド本体は該溝槽箇所に複数の排気孔を貫設し、該微振組部品は開口端を備えた筐体、振動モーター、電池、始動部品及びファンを設置する。該振動モーターは、該ファンを軸接続し、該ファンは筐体内部の開口端に近い箇所に設置し、該ファンは該通気孔に近い。
【００１２】
ブラジャーを使用する時、始動部品を押して振動モーターを始動し振動力を発生させ、着衣者の乳房をマッサージする。同時に振動モーターはファンを連動して回転させ、気流を起こして通気孔を通過して排気道及び排気孔へ流れ、ブラジャーパッド全体本体に風を流して拡散した後、排出する。肌の熱気をブラジャーパッドから放出して蒸れを防止し、通風換気及び排熱の効果を達成する。
【実施例】
【００１３】
本考案の特徴を、図式で示し、実施例を上げながら詳細に説明する。
【００１４】
図１は本考案の立体分解構造図であり、図２は、本考案の構造組立図であり、及び図３は本考案の局部構造断面図である。図に示すのは本考案の振動通気のブラジャーパッドである。該ブラジャーパッド１は、少なくともブラジャーパッド本体１０及び微振組部品２０を含む。そのうち、
【００１５】
該ブラジャーパッド本体１０は、ソフトグルー材を射出成形で一体成型する。またソフトグルー材は、シリカゲル、もしくはTPR、もしくは熱可塑性ゴムであり、ブラジャーパッド本体１０にソフト度及び拡張弾性を備えさせ、該ブラジャーパッド本体１０の一側には嵌合孔１１を備え、該嵌合孔１１は貫通した通気孔１２に連通する。該嵌合孔１１は定位部１１１を備え、且つ該通気孔１２は該嵌合孔１１に相対する別端に排気道１３に連通する。また該排気道１３はブラジャーパッド本体１０内表面から複数の相互に通じる溝槽１３１を凹設して形成し、該溝槽１３１深度は２〜５mmで、ベスト深度は３mmである。また該溝槽１３１の幅は２〜５mmであり、ベスト幅は３mmである。更に該ブラジャーパッド本体１０は該溝槽１３１箇所で、少なくとも一つの排気孔１４を穿設し、該排気孔１４の口径は１〜２mmであり、ベスト口径は２mmである。
【００１６】
該微振組部品２０は、該ブラジャーパッド本体１０の嵌合孔１１内に設置して固定する。該微振組部品２０は開口端２１１を備えた筐体２１、振動モーター２２、電池２３、始動部品２４及びファン２５を設置する。該振動モーター２２及び電池２３は電気連接して筐体２１内で設置する。該始動部品２４は筐体２１の一端に設置し、該振動モーター２２は該ファン２５に軸接続し、該ファン２５は筐体２１内部の開口端２１１近くに設置する。該ファン２５は該通気孔１２に近く、且つ該筐体２１はファン２５の開口端２１１に相対する別側に少なくとも入風口２１２を設置する。
【００１７】
使用時、該嵌合孔１１は通気孔１２と連通する箇所に口径差を備えた該定位部１１１を成形する。且つ該嵌合孔１１の口径は該通気孔１２の口径より大きく、定位部１１１は振動モーター２２を該嵌合孔１１に嵌合して固定定位し、且つブラジャーパッド本体１０はソフトグルー材で拡張弾性を備えるため、嵌合孔１１によって振動モーター２２が包まれて張力を備え、更に緊密になる。更に始動部品２４を押して振動モーター２２をスタートさせ、振動モーター２２が発する震動力が該ブラジャーパッド本体１０に伝わる。同時に振動モーター２２がファン２５を動かして回転させ風を発する。入風口２１２から風流の風速がスムーズに高まり、風は開口端２１１から通気孔１２を経て排気道１３と相通じる溝槽１３１間へ流れ、且つ気流は各排気孔１４から伝わって排出し、放熱効果を達成する。
【００１８】
当然、図４に示すとおり、該ブラジャーパッド本体１０内表面には複数の凸粒１５を設置してもよい。使用時、ブラジャーパッド本体１０は凸粒１５と接触面に隙間が形成されることから、気流が隙間から流れ出て排気性が全体に高まり、更にスピーディな放熱を促進する。及び該嵌合孔１１内には少なくとも排気溝１７を設置し、振動モーター２２は該嵌合孔１１内に於いて、ファン２５が回転して風が発生した時、入風口２１２と排気溝１７に流道が形成されファン２５に空気がくすぶるのを防止する。
【００１９】
更に、該溝槽の深度は２〜５mmであり、ベスト深度は３mmである。また該溝槽の幅は２〜５mmであり、ベスト幅は３mmであり、ファンが気流を発生させ、溝槽間に流れ、ベスト伝送速度を達成する。更に、該排気孔の口径は１〜２mmであり、ベスト口径は２mmであり、気流を溝槽から排気孔へ送り、ベストな流動スムーズ性を与える。
【実施例１】
【００２０】
図５に示すのは、本考案の第一実施例である。ブラジャーパッド１は機能を備えた膜片３０を結合し、ブラジャーパッド１に多機能効果を備える。該膜片３０の型体は該排気道１３の型体に相対し、且つ該膜片３０は遠赤外線元素を設置するか，もしくは該膜片３０はマイナスイオン元素を設置する。また該溝槽１３１は複数の凹部１３２を設置し、且つ該膜片３０の該複数の凹部１３２に相対する位置には複数の凸部３１を設置し、膜片３０は凸部３１が凹部１３２に掛合固定されることによって排気道１３上に貼り付けて結合し、更に該膜片３０の該排気孔１４に相対する位置に透孔３２を設置する。使用時には膜片３０が遠赤外線もしくはマイナスイオンを発し、透孔３２及び排気孔１４から放出する。
【実施例２】
【００２１】
図６図に示すのは本考案の第二実施例である。該ブラジャーパッド本体１０の内表面上には少なくとも複数の凹洞１６を設置し、該凹洞１６は効用粒４０を設置する。また該凹洞１６の口径は５〜８mmであり、該効用粒４０は５〜８mmのほぼボール体とする。更にブラジャーパッド本体１０はソフトグルー材で拡張弾性を備え、凹洞１６によって該効用粒４０を固定して張力の緊密度を備える。該効用粒４０はボール体で、直接もしくは間接的に肌に接触して快適感を備える。また該効用粒４０は遠赤外線粒であるか、もしくは該効用粒４０はマイナスイオン粒とする。使用時には遠赤外線もしくはマイナスイオンが発生し、使用者は健康効果を備える。
【００２２】
上述は、第一実施例及び第二実施例を含み、更に図７に示すとおり、ブラジャーパッド本体１０の外表面には布片５０を貼り、該布片５０はレース材質，もしくは通気材質でもよく、貼り付けて使用するのに快適性を備える。
【００２３】
更に、図８に示すとおり、該ブラジャーパッド本体１０は布片５０に対称で設置して運動型ブラジャーを構成し、使用者は着衣が便利で快適である。
【００２４】
更に、図９に示すとおり、該ブラジャーパッド本体１０は、ブラジャー６０に設置し、該ブラジャー６０にそれぞれ対称のパッド袋６１を設置し、それぞれ該ブラジャーパッド本体１０を納置し、使用者はブラジャー６０に設置して固定もしくは取出が便利である。
【００２５】
結論として、本考案は実施可能な振動通気のブラジャーパッドを提供し、実用新案登録を請求する。本考案の技術内容及び技術特徴は既に上述の通りであるが、当該領域に習熟した者が本考案の提示に基づき、本考案の考案精神から乖離しない各種の入れ替え及び修飾を行うかもしれない。拠って、本考案の保護範囲は、実施例に制限されず、各種の本考案から乖離しない入れ替え及び修飾を含み、以下の請求範囲に含まれるものとする。
【符号の説明】
【００２６】
１      ブラジャーパッド
１０    ブラジャーパッド本体
１１    嵌合孔
１１１  定位部
１２    通気孔
１３    排気道
１３１  溝槽
１３２  凹部
１４    排気孔
１５    凸粒
１６    凹洞
１７    排気溝
２０    微振組部品
２１    筐体
２１１  開口端
２１２  入風口
２２    振動モーター
２３    電池
２４    始動部品
２５    ファン
３０    膜片
３１    凸部
３２    透孔
４０    効用粒
５０    布片
６０    ブラジャー
６１    パッド袋
【図１】
0003195955.tif 000003
【図２】
0003195955.tif 000004
【図３】
0003195955.tif 000005
【図４】
0003195955.tif 000006
【図５】
0003195955.tif 000007
【図６】
0003195955.tif 000008
【図７】
0003195955.tif 000009
【図８】
0003195955.tif 000010
【図９】
0003195955.tif 000011